(57)【要約】【課題】比較的に表示画面の大きな表示素子を備えた携帯端末を、会社内などに形成される電話システムで利用できるようにして、活用範囲を広げ、有効活用できるようにする。【解決手段】ドック装置４は、自機の外部端子に携帯電話端末５が接続されると、端末登録離脱処理部が、ＳＩＰサーバ１に対して自機を配下の電話端末として登録するようにする。ドック装置４は、着信に応答して、あるいは、自機から発信して、目的とする相手先との間に通信路（通信回線）を接続し、ハンドセット４０６を用いて通話を行う。ドック装置４は自機に接続された携帯電話端末５を、自機の表示制御メッセージ提供部からの表示制御メッセージにより制御し、ドック装置４と携帯電話端末５で構成される電話端末の表示デバイスとして用いる。【選択図】図１
2012213099.tif 000002
【特許請求の範囲】
【請求項１】
広域ネットワークに接続された交換装置に対してドック装置を接続し、当該ドック装置に対して携帯端末を接続することにより形成される電話システムであって、
前記ドック装置は、
前記交換装置への接続を可能にする第１の接続端部と、
前記携帯端末の接続を可能にする第２の接続端部と、
受話器及び送話器と、
前記受話器に供給する受話音声と前記送話器からの送話音声を処理して、通話を行えるようにする通話音声処理手段と、
ユーザからの操作入力を受け付ける操作入力手段と、
前記第２の接続端部に前記携帯端末が接続された場合に、前記交換装置に対して自機を配下の電話端末として登録するようにする端末登録処理手段と、
前記第１の接続端部を通じて接続された前記交換装置との間において、送受する制御用のメッセージ情報を処理するメッセージ処理手段と、
前記第２の接続端部を通じて接続された前記携帯端末に対する表示制御用のメッセージ情報を形成して、これを前記携帯端末に提供する表示制御メッセージ提供手段と
を備え、
前記携帯端末は、
前記ドック装置への接続を可能にする外部装置用接続端部と、
表示手段と、
前記外部装置用接続端部を通じて接続された前記ドック装置からの前記表示制御用のメッセージ情報に基づいて、前記表示手段への表示処理を制御する表示制御手段と
を備えることを特徴とする電話システム。
【請求項２】
請求項１に記載の電話システムであって、
前記ドック装置は、
前記第２の接続端部を通じて自機に接続可能な１以上の携帯端末の識別情報を記憶する記憶手段と、
前記第２の接続端部に前記携帯端末が接続された場合に、携帯端末の識別情報の提供要求を形成し、これを前記携帯端末に提供する要求提供手段と、
前記提供要求に応じて前記携帯端末から提供される携帯端末の識別情報に基づいて、前記記憶手段の情報を参照し、前記第２の接続端部に接続された前記携帯端末が、自機に接続可能なものか否かを判別する判別手段と
を備え、
前記ドック装置の前記端末登録処理手段は、前記判別手段により、前記第２の接続端部に接続された前記携帯端末が自機に接続可能なものであると判別された場合に、自機を配下の電話端末として登録するものであり、
前記携帯端末は、
自機の識別情報を記憶する端末情報記憶手段と、
前記ドック装置からの携帯端末の識別情報の提供要求を受信した場合に、前記端末情報記憶手段に記憶されている自機の識別情報を、前記ドック装置に提供する端末情報提供手段と
を備えることを特徴とする電話システム。
【請求項３】
請求項１または請求項２に記載の電話システムであって、
前記ドック装置は、
前記第２の接続端部への前記携帯端末の接続が切断された場合に、前記交換装置に対して自機を配下の電話端末から離脱するようにする端末離脱処理手段を備えることを特徴とする電話システム。
【請求項４】
請求項１、請求項２または請求項３に記載の電話システムであって、
前記携帯端末は、
前記外部装置用接続端部を通じて前記ドック装置に接続された場合に、携帯端末が単独で実現することができる機能を停止させるように制御する機能停止制御手段と、
前記外部装置用接続端部を通じての前記ドック装置への接続が切断された場合に、携帯端末が単独で実現することができる機能を動作させるように制御する機能動作制御手段と
を備えることを特徴とする電話システム。
【請求項５】
広域ネットワークに接続された交換装置に対してドック装置を接続し、当該ドック装置に対して携帯端末を接続することにより形成される電話システムの前記ドック装置であって、
前記交換装置への接続を可能にする第１の接続端部と、
前記携帯端末の接続を可能にする第２の接続端部と、
受話器及び送話器と、
前記受話器に供給する受話音声と前記送話器からの送話音声を処理して、通話を行えるようにする通話音声処理手段と、
ユーザからの操作入力を受け付ける操作入力手段と、
前記第２の接続端部に前記携帯端末が接続された場合に、前記交換装置に対して自機を配下の電話端末として登録するようにする端末登録処理手段と、
前記第１の接続端部を通じて接続された前記交換装置との間において、送受する制御用のメッセージ情報を処理するメッセージ処理手段と、
前記第２の接続端部を通じて接続された前記携帯端末に対する表示制御用のメッセージ情報を形成して、これを前記携帯端末に提供する表示制御メッセージ提供手段と
を備えることを特徴とするドック装置。
【請求項６】
広域ネットワークに接続された交換装置に対してドック装置を接続し、当該ドック装置に対して携帯端末を接続することにより形成される電話システムの前記携帯端末であって、
前記ドック装置への接続を可能にする外部装置用接続端部と、
表示手段と、
前記外部装置用接続端部を通じて接続された前記ドック装置からの前記表示制御用のメッセージ情報に基づいて、前記表示手段への表示処理を制御する表示制御手段と
を備えることを特徴とする携帯端末。
【請求項７】
広域ネットワークに接続された交換装置に対してドック装置を接続し、当該ドック装置に対して携帯端末を接続することにより形成される電話システムにおける機器接続方法であって、
前記ドック装置は、前記交換装置への接続を可能にする第１の接続端部と、前記携帯端末の接続を可能にする第２の接続端部と、受話器及び送話器と、前記受話器に供給する受話音声と前記送話器からの送話音声を処理して、通話を行えるようにする通話音声処理手段と、ユーザからの操作入力を受け付ける操作入力手段とを備えるものであり、
前記ドック装置においては、
前記第２の接続端部に対して前記携帯端末が接続された場合に、端末登録処理手段が前記交換装置に対して自機を配下の電話端末として登録するようにする端末登録処理工程と、
前記第１の接続端部を通じて接続された前記交換装置との間において送受する制御用のメッセージ情報を、メッセージ処理手段が処理するメッセージ処理工程と、
表示制御手段が、前記第２の接続端部を通じて接続された前記携帯端末に対する表示制御用のメッセージ情報を形成して、これを前記携帯端末に提供する表示制御メッセージ提供工程と
を有し、
前記携帯端末においては、
外部装置用の接続端部を通じて接続された前記ドック装置からの前記表示制御用のメッセージ情報に基づいて、表示制御手段が表示手段への表示処理を制御する表示制御工程を有することを特徴とする電話システムにおける機器接続方法。
【発明の詳細な説明】
【技術分野】
【０００１】
この発明は、例えば、ＳＩＰ（Session Initiation Protocol）サーバや主装置といった交換装置に対して通信機器を接続して構成する電話システム、当該システムで用いられる各装置及び方法に関する。
【背景技術】
【０００２】
携帯電話端末は、外出の多い業務や屋外での作業の多い業務に従事している人にとって、取引先や所属する会社との連絡を確実に取るための手段として必需品となっている。そして、会社内に居る（在席している）ときには、携帯電話端末を会社内に形成される電話システムの電話機として用いるようにすることも考えられている。この場合、携帯電話端末の当該電話システムへの接続は無線を使用し、当該電話システム内に設けられる特定のアクセスポイント（ＡＰ）の通信圏内に位置していることを条件に携帯電話端末を電話システムの電話機として動作させるようにしている。また、携帯電話端末が当該特定のアクセスポイントの圏外へ移動することで、本来の携帯電話網（３Ｇ回線）を通じて通信を行う携帯電話端末へと復帰するようにしている。
【０００３】
そして、後に記す非特許文献１、非特許文献２には、上述したような携帯電話端末を会社内などに設けられる話システムの電話機として利用できるようにする技術（サービス）の一例が紹介されている。しかしながら、携帯電話端末を電話システムの電話機として使用する場合、無線を介した通信では、障害物やノイズの混入等の影響を受けやすく、安定した通信品質を保つことができない状態が生じる場合がある。これに関連して後に記す特許文献１には、アクセスポイントとの間で無線接続されて通信を行う無線ＬＡＮ（Local Area Network）装置を、有線ＬＡＮに接続された充電台に接続したときには、当該充電台を通じて有線ＬＡＮに接続して通信を行えるようにする技術が開示されている。
【先行技術文献】
【特許文献】
【０００４】
【特許文献１】特開２００１−２７４８０９号公報
【非特許文献】
【０００５】
【非特許文献１】Ｐｈｏｎｅユビキタス（全国内線ソリューション）［平成２３年１月１７日検索］、インターネット＜ＵＲＬ：http://www.ntt.com/ubi-voip/data/dial in.html?banner id=k ｇ ubvo002＞
【非特許文献２】事業所用コードレスシステム［平成２３年１月１７日検索］、インターネット＜ＵＲＬ：http//www.willcom-inc.com/ja/biz/service/cordless/index.html＞
【発明の概要】
【発明が解決しようとする課題】
【０００６】
しかしながら、上述した特許文献１においては、通話を行うことを想定していないために、通話制御に関することについては全く記載されていない。すなわち、特許文献１には、無線ＬＡＮ端末を有線ＬＡＮに接続して目的とする相手先との間で通信路（通信回線）を接続し、通話を行うようにするまでの処理（制御）については説明されていない。このため、会社内などに構築される電話システムに、特許文献１に記載の技術を適用しても、単に携帯電話端末を、充電台を通じて有線ＬＡＮに接続することできるだけである。したがって、特許文献１に記載の技術だけでは、携帯電話端末を電話システムに接続し、実際に、電話を掛けたり、電話を受けたりして、目的とする相手先との間に通信路を接続し、通話を行えるようにすることはできない。
【０００７】
また、近年においては、スマートホンなどと呼ばれる高機能な携帯電話端末や通信機能を備えたパッド型情報端末あるいはタブレット型情報端末などと呼ばれる携帯通信端末（携帯情報端末）も利用されるようになってきている。また、専用の電子ブックリーダー装置も種々提供されるようになってきている。これらスマートホン、パッド型情報端末、電子ブックリーダー装置は、大きな表示画面の表示素子を備え、種々の表示情報をユーザに対して適切に提供することができるものである。これらスマートホン、パッド型情報端末、電子ブックリーダー装置といった機器についても、主に外出先などで用いるだけでなく、例えば自己が所属する会社内などにおいては、電話システムに接続して利用できるようにするなど、より有効に活用できるようにすることが望まれている。
【０００８】
以上のことに鑑み、この発明は、比較的に表示画面の大きな表示素子を備えた携帯端末を、会社内などに形成される電話システムで利用できるようにして、活用範囲を広げ、より有効に活用できるようにすることを目的とする。
【課題を解決するための手段】
【０００９】
上記課題を解決するため、請求項１に記載の発明の電話システムは、
広域ネットワークに接続された交換装置に対してドック装置を接続し、当該ドック装置に対して携帯端末を接続することにより形成される電話システムであって、
前記ドック装置は、
前記交換装置への接続を可能にする第１の接続端部と、
前記携帯端末の接続を可能にする第２の接続端部と、
受話器及び送話器と、
前記受話器に供給する受話音声と前記送話器からの送話音声を処理して、通話を行えるようにする通話音声処理手段と、
ユーザからの操作入力を受け付ける操作入力手段と、
前記第２の接続端部に前記携帯端末が接続された場合に、前記交換装置に対して自機を配下の電話端末として登録するようにする端末登録処理手段と、
前記第１の接続端部を通じて接続された前記交換装置との間において、送受する制御用のメッセージ情報を処理するメッセージ処理手段と、
前記第２の接続端部を通じて接続された前記携帯端末に対する表示制御用のメッセージ情報を形成して、これを前記携帯端末に提供する表示制御メッセージ提供手段と
を備え、
前記携帯端末は、
前記ドック装置への接続を可能にする外部装置用接続端部と、
表示手段と、
前記外部装置用接続端部を通じて接続された前記ドック装置からの前記表示制御用のメッセージ情報に基づいて、前記表示手段への表示処理を制御する表示制御手段と
を備えることを特徴とする。
【００１０】
この請求項１に記載の発明の電話システムによれば、当該電話システムは、交換装置に対して、ドック装置が接続され、また、当該ドック装置に対して、表示素子を備えた携帯端末が接続されて形成される。ドック装置においては、第２の接続端部を通じて携帯端末が接続されると、端末登録処理手段により、交換装置に対して自機を配下の電話端末として登録するようにされる。ドック装置は、受話器及び送話器、通話音声処理手段、操作入力手段を備えると共に、メッセージ処理手段により、交換装置との間おいて送受される種々の制御用のメッセージ情報を処理することができるものである。これにより、ドック装置は、着信に応答して、あるいは、自機から発信して、目的とする相手先との間に通信路（通信回線）を接続し、通話を行うことができるようにされる。
【００１１】
一方、携帯端末においては、自機の外部装置用接続端部を通じてドック装置に接続されると、ドック装置からの表示制御用のメッセージ情報を受け付け、当該メッセージ情報に基づいて、表示制御手段により表示手段への表示処理が制御される。すなわち、携帯端末においては、ドック装置からの表示制御用のメッセージ情報に応じて、種々の情報を表示素子の表示画面に表示することができるようにされる。
【００１２】
このように、ドック装置に対して携帯端末が接続されると、ドック装置と携帯端末とで交換装置の配下の電話端末となるようにされる。そして、ドック装置と携帯端末とからなる電話端末は、当該携帯端末を表示デバイス（表示インターフェース）として用いるようにし、必要な情報を適切に携帯端末の表示素子に表示すると共に、ドック装置の受話器及び送話器を通じて高品位に通話を行うことができるようにされる。
【発明の効果】
【００１３】
この発明によれば、ドック装置と比較的に表示画面の大きな表示素子を備えた携帯端末とで交換装置配下の電話端末を構成し、携帯端末を電話端末の表示デバイスとしても利用できるようにして活用範囲を広げ、携帯端末をより有効に活用できるようにすることができる。しかも、ドック装置と携帯端末とで構成される電話端末を通じて高品位に通話を行うことができる。
【図面の簡単な説明】
【００１４】
【図１】実施の形態の電話システムの概要を説明するための図である。
【図２】ＳＩＰサーバ１の構成例を説明するためのブロック図である。
【図３】アドレス管理ＤＢ１０６に形成される管理情報（データベース）の構成例について説明するための図である。
【図４】ドック装置４の構成例を説明するためのブロック図である。
【図５】接続端末登録メモリ４２１において管理される情報の例を説明するための図である。
【図６】携帯電話端末５の構成例を説明するためのブロック図である。
【図７】ドック装置４と携帯電話端末５とからなる電話端末を通じて、着信に応答して通話を行う場合の処理について説明するためのシーケンス図である。
【図８】図７に続くシーケンス図である。
【図９】ドック装置４と携帯電話端末５とからなる電話端末を通じて、発信して通話を行う場合の処理について説明するためのシーケンス図である。
【図１０】図９に続くシーケンス図である。
【図１１】携帯電話端末５をドック装置４から切り離すようにした場合の処理について説明するためのシーケンス図である。
【発明を実施するための形態】
【００１５】
以下、図を参照しながら、この発明によるシステム、装置、方法の一実施の形態について説明する。以下に説明する実施の形態においては、例えば、事業所内に形成されるボタン電話システムであって、ＩＰ（Internet Protocol）網を通じて電話通信を行うことができるＩＰ電話システムに、この発明を適用した場合を例にして説明する。
【００１６】
［電話システムの概要］
図１は、この実施の形態の電話システムの概要を説明するための図である。図１に示すように、この実施の形態の電話システムは、ＳＩＰサーバ１に対し、ハブ装置３を通じてドック装置４が接続され、当該ドック装置４に対して携帯端末としての携帯電話端末５が接続されて構成される。この例の場合、ＳＩＰサーバ１とハブ装置３との間は、ＬＡＮケーブル２Ａにより接続され、ハブ装置３とドック装置４との間は、ＬＡＮケーブル２Ｂにより接続されている。
【００１７】
また、ドック装置４と携帯電話端末５との間は、それぞれに設けられるＵＳＢ（Universal Serial Bus）規格に準拠した接続端子間が有線接続される。例えば、ドック装置４にはＵＳＢ規格のオス端子が設けられ、携帯電話端末５にはＵＳＢ規格のメス端子が設けられて、それらを直接に接続することができるようにされる。もちろん、ドック装置４と携帯電話端末５とをＵＳＢケーブルにより接続するようにすることも可能である。
【００１８】
ハブ装置３は、いわゆる集線装置であり、図１に示したように、複数の接続端子を備えている。したがって、ＳＩＰサーバ１に対しは、ハブ装置３を通じて複数のドック装置等をＬＡＮ接続することができるようにされている。なお、この実施の形態においては、説明を簡単にするため、ＳＩＰサーバ１に対しては、ハブ装置３を介して１つのドック装置４が接続されている場合の例を示している。
【００１９】
ＳＩＰサーバ１は、図１に示したように、ＩＰ網６と電話網７とに接続され、通信路（通信回線）を接続する端末間のアドレス解決をするものである。つまり、ＳＩＰサーバ１は、レジストラ・サーバ機能とプロキシ・サーバ機能とを備え、これらの機能を用いることによって、ＬＡＮに接続された電話システム内の機器との間や、ＬＡＮに接続された機器とＩＰ網６や電話網７に接続された機器との間に、通信路を接続することができるようにするものである。そして、この実施の形態においては、ＳＩＰサーバ１に対して、図１に示したように、例えば、「１９２．１６８．１．１」となるＩＰアドレスが割り当てられているものとする。
【００２０】
また、ＩＰ網６は、ＩＰ（Internet Protocol）を用いて通信を行うネットワークを意味し、具体的にはインターネットである。また、電話網７は、アナログ方式の公衆交換電話網（ＰＳＴＮ（Public Switched Telephone Network））、デジタル回線網（ＩＳＤＮ（Integrated Services Digital Network））、３Ｇ回線などと呼ばれる第３世代の高速携帯電話ネットワーク（携帯電話網）などを含むものである。
【００２１】
ドック装置４は、詳しくは後述もするが、これに携帯電話端末５が接続されることにより、当該携帯電話端末５と共に、ＳＩＰサーバ１の配下の電話端末を構成する。このため、ドック装置４のメモリには、図１のドック装置４の下側に示したように、自機がＳＩＰサーバ１の配下の電話端末になるための内線登録データが予め設定されている。ここで、図１に示したドック装置４に設定される内線登録データは、内線番号「２０１０」、ＩＰアドレス「１９２．１６８．１．１０」、ポート番号「５０６０」というものである。
【００２２】
また、ドック装置４は、図１に示すように受話器と送話器とを有するハンドセット４０６と数字キーや種々のファンクションキーを有する操作入力部４０８を備えている。そして、ドック装置４は、これに接続される携帯電話端末５と共にＳＩＰサーバ１の配下の電話端末となっている場合には、当該電話端末の本体部分となり、携帯電話端末５の自機への接続を可能にすると共に、通信路を接続して通話を行えるように制御する機能を有する。すなわち、ドック装置４は、掛かってきた電話に応答して、あるいは、操作入力部４０８を通じて発信操作を行うことにより発信して、通信路を接続し、ハンドセット４０６を通じて通話を行うようにすることができるものである。
【００２３】
この場合に、ドック装置４は、自機に接続された携帯電話端末５を表示デバイス（表示インターフェース）として用いて、相手先の電話番号や通話時間といった種々の情報を表示することができるようにしている。すなわち、ドック装置４に接続される携帯電話端末５は、当該ドック装置４と共に構成する電話端末の表示デバイス（表示インターフェース）部分となり、ドック装置４は、携帯電話端末５の表示制御を行う表示制御の主体としての機能を実現する。
【００２４】
なお、携帯電話端末５は、これが単体で用いられるときには、携帯電話網（３Ｇ回線）を通じて通信路を接続して通話を行うことができるものである。また、携帯電話端末５は、携帯電話網を通じてインターネットに接続し、Ｗｅｂページを閲覧したり、種々の情報のダウンロードやアップロードを行ったり、また、電子メールの送信、受信を行ったりすることができるものである。
【００２５】
このように、この実施の形態の電話システムは、ＳＩＰサーバ１に対してＬＡＮ接続されるドック装置４に対して、携帯電話端末５を接続することにより、ドック装置４と携帯電話端末５とによって、ＳＩＰサーバ１の配下の電話端末が構成される。そして、ドック装置４のハンドセット４０６を用いて高品位な通話を行えるようにすると共に、必要な表示情報は、比較的に大きな表示画面を有する携帯電話端末５のディスプレイに表示して、良好にユーザに提供することができるようにしている。なお、ＵＳＢ規格のインターフェースの場合、電源供給ラインも備えているので、ドック装置４から携帯電話端末５に充電電流を供給して、携帯電話端末５のバッテリの充電を行うこともできるようにしている。以下、この実施の形態の電話システムを構成する各機器について具体的に説明する。
【００２６】
［ＳＩＰサーバ１の構成例］
まず、この実施の形態の電話システムのＳＩＰサーバ１について説明する。図２は、ＳＩＰサーバ１の構成例を説明するためのブロック図である。図２に示すように、ＳＩＰサーバ１は、ＩＰ網６への接続端子１０１と、ＩＰ網インターフェース（以下、ＩＰ網Ｉ／Ｆと略称する。）１０２と、パケット分解／生成部１０３とを備えている。また、ＳＩＰサーバ１は、電話網インターフェース（以下、電話網Ｉ／Ｆと略称する。）１０４と、電話網７への接続端子１０５と、アドレス管理データベース（以下、アドレス管理ＤＢと略称する。）１０６とを備えている。さらに、ＳＩＰサーバ１は、ＬＡＮインターフェース（以下、ＬＡＮＩ／Ｆと略称する。）１０７と、ＬＡＮへの接続端子１０８と、制御部１１０とを備えている。
【００２７】
制御部１１０は、この実施の形態のＳＩＰサーバ１の各部を制御するものであり、図２に示すように、ＣＰＵ（Central Processing Unit）１１１、ＲＯＭ（Read Only Memory）１１２、ＲＡＭ（Random Access Memory）１１３がシステムバス１１４を通じて接続されて構成されたマイクロコンピュータである。ここで、ＣＰＵ１１１は、ＲＯＭ１１２に記憶保持されているプログラムを実行することにより、各部を制御するための制御信号を生成して各部に供給したり、各部からの情報を処理したりするものである。ＲＯＭ１１２は、上述のように、ＣＰＵ１１１で実行される種々のプログラムや処理に必要となる種々のデータを記憶保持しているものである。
【００２８】
また、ＲＡＭ１１３は、処理の途中結果を一時記憶するなど、主に、作業領域として用いられるものである。なお、図示しないが、例えば、ＥＥＰＲＯＭ（Electrically Erasable and Programmable ROM）やフラッシュメモリーなどのいわゆる不揮発性メモリを備え、電源が落とされても保持しておくべきデータ、例えば、種々の設定パラメータや機能アップのために提供された新たなプログラムなどについても記憶保持することができるようにされている。
【００２９】
接続端子１０１は、ＩＰ網６への接続端部を構成するものである。ＩＰ網Ｉ／Ｆ１０２は、ＩＰ網６を通じて供給されるパケットを受け付けて、これを自機において処理可能な形式のパケットに変換して制御部１１０に供給する。また、ＩＰ網Ｉ／Ｆ１０２は、制御部１１０を通じて供給される送信すべきパケットを送信用の形式のパケットに変換して、これをＩＰ網６に送出する。
【００３０】
接続端子１０５は電話網７への接続端部を構成するものである。電話網Ｉ／Ｆ１０４は、電話網７を通じて供給されるデータを受け付けて、これを自機において処理可能な形式のデータに変換して制御部１１０に供給する。また、電話網Ｉ／Ｆ１０４は、制御部１１０を通じて供給される送信すべきデータを送信用の形式のデータに変換して、これを電話網７に送出する。
【００３１】
接続端子１０８はＬＡＮへの接続端部を構成するものである。ＬＡＮＩ／Ｆ１０７は、ＬＡＮを通じて供給されるパケットを受け付けて、これを自機において処理可能な形式のパケットに変換して制御部１１０に供給する。また、ＬＡＮＩ／Ｆ１０７は、制御部１１０を通じて供給される送信すべきパケットを送信用の形式のパケットに変換して、これをＬＡＮに送出する。
【００３２】
パケット分解／生成部１０３は、パケットの分解や生成を行うものである。具体的には、ＬＡＮを通じてＳＩＰサーバ１に対して接続される電話端末（ＩＰ電話端末）等からの電話網７に接続された端末装置に送信すべきパケットは、接続端子１０８、ＬＡＮＩ／Ｆ１０７を通じて制御部１１０に受け付けられる。当該パケットは、制御部１１０からパケット分解／生成部１０３に供給され、ここでパケット分解された後に、電話網Ｉ／Ｆ１０４、接続端子１０５を通じて電話網７に送出され、目的とする相手先に送信するようにされる。
【００３３】
また、電話網７に接続された端末装置からのＬＡＮを通じてＳＩＰサーバ１に接続される配下の電話端末等へのデータは、接続端子１０５、電話網Ｉ／Ｆ１０４を通じて制御部１１０に受け付けられる。当該データは、制御部１１０からパケット分解／生成部１０３に供給され、ここで所定の形式のパケットとされた後に、ＬＡＮＩ／Ｆ１０７、接続端子１０８を通じて、ＬＡＮに送出されて目的とする電話端末に送信するようにされる。
【００３４】
なお、ＩＰ網６に接続された端末と、ＳＩＰサーバ１にＬＡＮを通じて接続される電話端末等との間では、パケットが送受される。このため、パケット分解／生成部１０３において、パケットの分解や生成は行われることはなく、ＩＰ網Ｉ／Ｆ１０２、ＬＡＮＩ／Ｆ１０７において、データ形式が整えられてそのまま送受するようにされる。同様に、ＳＩＰサーバ１にＬＡＮを通じて接続される電話端末等の機器間においても、パケットが送受されるため、パケット分解／生成部１０３において、パケットの分解や生成は行われることはなく、ＬＡＮＩ／Ｆ１０７を通じてパケットが送受するようにされる。
【００３５】
そして、アドレス管理ＤＢ１０６は、レジストラ・サーバ機能を実現するために、ＩＰ網６やＬＡＮに接続され、このＳＩＰサーバ１を通じて呼び出す可能性のある端末装置についてのアドレス情報を記憶保持するものである。具体的には、ＳＩＰサーバ１の制御部１１０は、ＩＰ網Ｉ／Ｆ１０２やＬＡＮＩ／Ｆ１０７を通じて、これらに接続されている種々の端末装置からの登録要求（レジスタ・リクエスト）を受信する。この場合に、制御部１１０は、受信した要求に含まれるアドレス情報等を抽出する。そして、制御部１１０は、抽出したアドレス情報等をアドレス管理ＤＢ１０６に登録したり、抽出したアドレス情報等を用いてアドレス管理ＤＢ１０６の登録情報を更新したりする。
【００３６】
このようにして、アドレス管理ＤＢ１０６に登録されて管理される情報が参照され、自機にＬＡＮを通じて接続される電話端末などから要求のあった通信先を確実に特定する。そして、その特定した相手先に送信すべき情報（パケットデータ）を転送するようにするプロキシ・サーバとしての機能をＳＩＰサーバ１が実現するようにしている。また、アドレス管理ＤＢ１０６に登録されて管理される情報は、自機にＬＡＮを通じて接続される電話端末などへの着信の判別などにも用いられる。
【００３７】
図３は、アドレス管理ＤＢ１０６に形成される管理情報（データベース）の構成例について説明するための図である。ＳＩＰサーバ１のアドレス管理ＤＢ１０６は、ＩＰ網６に接続された他のＩＰ電話システムの端末装置のアドレス情報の他、当該ＳＩＰサーバ１にＬＡＮ接続された電話端末などについてのアドレス情報をも管理することができるものである。
【００３８】
この実施の形態のＳＩＰサーバ１のアドレス管理ＤＢ１０６では、図３に示したように、ＳＩＰサーバ１にＬＡＮ接続された電話端末については、内線番号、ＩＰアドレス、ポート番号、その他の種々の情報を登録して管理することができるようにされる。ここで、内線番号とＩＰアドレスとは、ＳＩＰサーバ１の配下の当該電話端末に対して予め割り当てられるようにされたものである。また、ポート番号は、ＳＩＰサーバ１と当該電話端末との間において、情報の送受に用いるポートを特定する情報であり、当該情報も予め決められたものである。その他の情報として、例えば、ＵＲＩ（Uniform Resource Identifier）やＭＡＣ（Media Access Control）アドレス等についても登録して管理することもできるようにされる。
【００３９】
また、この実施の形態のＳＩＰサーバ１のアドレス管理ＤＢ１０６において管理されるＩＰ網６に接続された端末装置についての管理情報は、当該端末装置から送信されてくるＵＲＩ（ＳＩＰ  ＵＲＩ）と、ＩＰアドレスである。この他、ＭＡＣアドレス等の送信されてくる他の情報を管理することも可能である。
【００４０】
そして、この実施の形態の電話システムにおけるＳＩＰサーバ１の配下の電話端末からＩＰ網６に接続された端末装置に対する発信要求（発呼要求）をＳＩＰサーバ１が受け付けたとする。この場合、ＳＩＰサーバ１の制御部１１０は、自己のアドレス管理ＤＢ１０６の管理情報に基づいて、目的とする相手先の端末装置を特定し、この特定した端末装置に対して、メッセージの転送を行う。
【００４１】
同様に、この実施の形態の電話システムにおけるＳＩＰサーバ１の配下の電話端末から当該ＳＩＰサーバ１にＬＡＮ接続されている当該ＳＩＰサーバ１の配下の他の電話端末に対する発信要求（発呼要求）をＳＩＰサーバ１が受け付けたとする。この場合、ＳＩＰサーバ１の制御部１１０は、自己のアドレス管理ＤＢ１０６の管理情報に基づいて、目的とする相手先の電話端末を特定し、この特定した電話端末に対して、メッセージの転送を行う。
【００４２】
また、ＩＰ網６や電話網７を通じて、自機にＬＡＮに接続されている電話端末に対する着信要求（外線着信）をＳＩＰサーバ１が受け付けたとする。この場合、ＳＩＰサーバ１の制御部１１０は、送信されてきたメッセージを受け付けて、これを自システム内に送出する。なお、外線着信であっても、例えば個別着信（着信先のＩＰ電話端末を特定した着信）や、ＳＩＰサーバ１にＬＡＮ接続された電話端末の内線の発着信の場合には、ＳＩＰサーバ１は相手先を特定して着信を通知する。すなわち、この場合、ＳＩＰサーバ１の制御部１１０は、自己のアドレス管理ＤＢ１０６の管理情報に基づいて、目的とする自配下の相手先の電話端末を特定し、この特定した自配下の電話端末に対して、メッセージの転送を行う。
【００４３】
また、発信に際して、ＩＰ電話番号が用いられる場合には、図１には図示しなかったが、ＩＰ網６に接続されているゲートウェイやＤＮＳ（Domain Name System）が利用されて、ＩＰ電話番号からＵＲＩなどが検索されて用いられることになる。相手先から、この実施の形態の電話システムのＳＩＰサーバ１の配下の電話端末に対して、ＩＰ電話番号を用いて電話をかける場合においても同様に、ＩＰ網６に接続されているゲートウェイやＤＮＳが利用されて、ＩＰ電話番号からＵＲＩなどが検索されて用いられることになる。
【００４４】
また、制御部１１０は、ＩＰ網Ｉ／Ｆ１０２、電話網Ｉ／Ｆ１０４、ＬＡＮＩ／Ｆ１０７を通じて、使用中の通信回線や空いている通信回線を把握し、適切に回線交換を行うこともできるようにしている。また、制御部１１０は、把握した通信回線の使用状態等に応じて、ＬＡＮを通じて接続される電話端末毎に供給すべきＬＥＤ等の点灯、消灯を制御するための制御情報を形成する。当該制御情報は、ＬＡＮＩ／Ｆ１０７、接続端子１０８を通じてＬＡＮに送出され、各電話端末等に送信される。
【００４５】
このように、この実施の形態のＳＩＰサーバ１は、パケット分解／生成部１０３やアドレス管理ＤＢ１０６を備え、ＳＩＰサーバ１が接続される種々のネットワークに接続される端末間のメッセージの中継を行うことができるものである。したがって、この実施の形態の主装置１は、外線−内線間の接続や内線間の接続を行ったり、通信回線の使用状況を配下の無線通信端末に通知したりすることができるものである。
【００４６】
そして、上述もしたように、この実施の形態においては、ＳＩＰサーバ１に接続されたドック装置４に対して携帯電話端末５が接続されると、当該ドック装置４と携帯電話端末５とが、ＳＩＰサーバ１の配下の電話端末となる。この場合、ドック装置４は、ＳＩＰサーバ１に対して、内線登録データ（内線番号、ＩＰアドレス、ポート番号）を提供し、自機をＳＩＰサーバ１の配下の電話端末として登録する。
【００４７】
これにより、ＳＩＰサーバ１においては、アドレス管理ＤＢ１０６において、図３を用いて説明したように、当該ドック装置４からの内線登録データが管理される。すなわち、ドック装置４と携帯電話端末５とからなる端末装置が、ＳＩＰサーバ１の配下の電話端末としてＳＩＰサーバ１において管理することができるようにされる。また、当該ドック装置４に接続されていた当該携帯電話端末５が切り離されると、当該ドック装置４は、ＳＩＰサーバ１に対して自機を配下の電話端末から離脱させるようにする要求を提供する。この場合、ＳＩＰサーバ１においては、アドレス管理ＤＢ１０６から当該ドック装置４の内線登録データが抹消され、当該ドック装置４は、ＳＩＰサーバ１の配下から離脱するようにされる。
【００４８】
なお、図２において、パケット分解／生成部１０３は、独立した回路部分として示しているが、これに限るものではない。パケット分解／生成部１０３は、制御部１１０において実行されるプログラムにより、制御部１１０の機能として実現することももちろん可能である。
【００４９】
［ドック装置４の構成例］
次に、この実施の形態の電話システムで用いられるドック装置４の構成について説明する。図４は、この実施の形態の電話システムのドック装置４の構成例を説明するためのブロック図である。
【００５０】
この実施の形態のドック装置４は、図４に示すように、ＬＡＮへの接続機能を実現するための部分として、ＬＡＮ接続端子４０１、ＬＡＮＩ／Ｆ４０２を備えると共に、パケット処理部４０３を備えている。また、ドック装置４は、ユーザインターフェースを実現する部分として、通話音声入出力インターフェース（以下、通話音声入出力Ｉ／Ｆと略称する。）４０４、ハンドセット接続端子４０５、ハンドセット４０６、リンガ４０７、操作入力部４０８、操作入力Ｉ／Ｆ４０９を備えている。
【００５１】
ここで、ハンドセット４０６は、受話器（スピーカ）と送話器（マイクロホン）とが設けられ、通話時に用いられるものである。また、操作入力部４０８は、数字キー（いわゆるテンキー）、幾つかの記号キー、オフフックキーやオンフックキー等を含む種々のファンクションキー等を備え、ユーザからの操作入力を受け付けるものである。
【００５２】
さらに、ドック装置４は、外部機器である携帯電話端末５との接続を実現する部分として、当該ドック装置４の前面に端末載置部４１０が設けられている。この端末載置部４１０は、図１に示したように、携帯電話端末５を載置した場合にずれることがないように、携帯電話端末５の縦及び横の幅とほぼ同じ凹部（溝部）として設けられている。すなわち、端末載置部４１０は、図１に示したように、その左側、右側及び下側には側壁が設けられるようにされたものである。なお、当該凹部の上側は、携帯電話端末５の着脱を容易にするために側壁は設けられず開けられた状態になっている。
【００５３】
この端末載置部４１０には、後述する携帯電話端末５が載置された場合に、当該携帯電話端末５の外部端子と対応する部分に外部端子４１１が設けられている。そして、外部端子４１１には、外部インターフェース（以下、外部Ｉ／Ｆと略称する。）４１２と、充電電流供給部４１３とが接続され、充電電流供給部４１３には、ＡＣコンセント４１４が接続されている。
【００５４】
また、ドック装置４は、自機をＳＩＰサーバ１の配下の電話端末として機能させる部分として、接続端末登録メモリ４２１、端末登録離脱処理部４２２、メッセージ処理部４２３、表示制御メッセージ提供部４２４を備えると共に、制御部４３０を備えている。
【００５５】
制御部４３０は、この実施の形態のドック装置４の各部を制御するものであり、ＣＰＵ４３１、ＲＯＭ４３２、ＲＡＭ４３３、ＥＥＰＲＯＭ４３４が、ＣＰＵバス４３５を通じて接続されて構成されたマイクロコンピュータである。ＣＰＵ４３１は、ＲＯＭ４３２に記憶保持されているプログラムを読み出して実行し、各部に供給する制御信号を形成してこれを各部に供給したり、また、各部から供給されるデータを処理したりするものである。ＲＯＭ４３２は、上述のように、ＣＰＵ４３１で実行される種々のプログラムや処理に必要になる各種のデータが記憶保持されたものである。また、ＲＡＭ４３３は、処理の途中結果を一時記憶するなど、主に作業領域として用いられるものである。
【００５６】
また、ＥＥＰＲＯＭ４３４は、電源が落とされても保持しておくべきデータ、例えば、種々の設定パラメータや機能アップのために提供された新たなプログラムなどについても記憶保持することができるようにされている。なお、ＥＥＰＲＯＭ４３４は、図１を用いて説明したように、ドック装置４に対して予め設定される内線番号、ＩＰアドレス、ポート番号などからなる内線登録データについても記憶保持している。
【００５７】
ＬＡＮ接続端子４０１は、ＬＡＮへの接続端部を構成するものである。ＬＡＮＩ／Ｆ４０２は、ＬＡＮを通じて供給されるパケットを受け付けて、これを自機において処理可能な形式のパケットに変換して制御部４３０に供給する。また、ＬＡＮＩ／Ｆ４０２は、制御部４３０を通じて供給される送信すべきパケットを送信用の形式のパケットに変換して、これをＬＡＮに送出する。
【００５８】
パケット処理部４０３は、ＬＡＮ接続端子４０１及びＬＡＮＩ／Ｆ４０２を通じて受け付けたパケットの供給を受けて、これを分解処理し、当該パケットに含まれる制御データや音声データを抽出する。ここで抽出された制御データは制御部４３０に供給されて、自機の制御に用いられる。また、抽出された音声データは、制御部４３０を通じて後述する通話音声入出力Ｉ／Ｆ４０４に供給される。また、パケット処理部４０３は、制御部４３０を通じて供給される自機から送出すべきデータをパケット化して、これをＬＡＮＩ／Ｆ４０２及びＬＡＮ接続端子４０１を通じてＬＡＮに送出する。ここで、自機から送出するデータは、後述するハンドセット４０６により集音されるユーザの音声に応じた音声データ等である。
【００５９】
通信音声入出力Ｉ／Ｆ４０４は、パケット処理部４０３からの音声データから自機のハンドセット４０６の受話器（スピーカ）に供給するアナログ音声信号を形成し、これをハンドセット接続端子４０５を通じてハンドセット４０６の受話器に供給する。これにより、相手先から送信されてくる相手先の音声が、ハンドセット４０６の受話器から放音される。一方、ハンドセット４０６の送話器（マイクロホン）によって集音された音声は、ここで電気信号に変換され、ハンドセット接続端子４０５を通じて通信音声入出力Ｉ／Ｆ４０４に供給される。通信音声入出力Ｉ／Ｆ４０４は、ハンドセット４０６からの音声データをデジタル信号に変換するなどの処理を行って、これを上述もしたように制御部４３０を通じてパケット処理部４０３に供給する。
【００６０】
このように、ＬＡＮ接続端子４０１、ＬＡＮＩ／Ｆ４０２、パケット処理部４０３、通話音声入出力Ｉ／Ｆ４０４、ハンドセット接続端子４０５、ハンドセット４０６及び制御部４３０の機能により、目的とする相手先との間で通話音声を送受し、通話を行うようにすることができるようにしている。
【００６１】
外部端子４１１は、外部機器である携帯電話端末５との接続端部を構成するものであり、データ端子と充電端子とを有するものである。このため、上述もし、また、図４にも示すように、外部端子４１１には、外部Ｉ／Ｆ４１２と、充電電流供給部４１３とが接続されている。外部端子４１１に携帯電話端末５などの外部機器が接続されると、外部Ｉ／Ｆ４１２は、当該携帯電話端末５との間で接続時の信号のやり取りをすることにより、携帯電話端末５が接続されたことを検知し、制御部４３０に通知する。これにより、制御部４３０は、外部端子４１１を通じて自機に携帯電話端末５が接続されたことを認識することができる。
【００６２】
また、外部Ｉ／Ｆ４１２は、外部端子４１１を通じて供給される携帯電話端末５からのデータを受け付けて、これを自機において処理可能な形式のデータに変換して制御部４３０に供給する。また、外部Ｉ／Ｆ４１２は、外部端子４１１に接続された携帯電話端末５に供給する制御部４３０からのデータを出力用の所定の形式のデータに変換して、これを外部端子４１１を通じて出力する。
【００６３】
充電電流供給部４１３は、ＡＣコンセント４１４から送られてくる商用交流電圧から直流の充電電流を生成する。そして、充電電流供給部４１３は、外部Ｉ／Ｆ４１２からの携帯電話端末５がドック装置４に接続されたことの検知通知に基づく制御部４３０の制御により駆動状態に制御されて、充電電流を、外部端子を通じて携帯電話端末５に供給するようにする。
【００６４】
そして、この実施の形態において、ドック装置４の外部端子４１１、外部Ｉ／Ｆ４１２、充電電流供給部４１３からなる部分は、ＵＳＢ（Universal Serial Bus）規格に準拠したものである。すなわち、この実施の形態において、ドック装置４の外部端子４１１はＵＳＢ端子である。
【００６５】
接続端末登録メモリ４２１は、外部端子４１１を通じて当該ドック装置４に対して接続可能な携帯電話端末５の端末識別情報と接続状態を示す情報とを記憶保持するものである。この接続端末登録メモリ４２１の登録情報に基づいたチェックにより、当該ドック装置４に対して予め決められた携帯電話端末だけの接続を可能し、部外者の携帯電話端末がドック装置４に接続されて当該電話システムを通じて通話が行われることを防止することができるようにしている。
【００６６】
図５は、接続端末登録メモリ４２１において管理される情報の例を説明するための図である。図５に示すように、接続端末登録メモリ４２１には、端末識別情報として、ＳＩＭ．Ｎｏ、登録端末名、電話番号、キャリア（契約電話会社）が予め登録するようにされている。なお、図５において、ＳＩＭ．Ｎｏは、「０１」〜「１０」までの２桁のシーケンス番号として示しているが、実際のＳＩＭ．Ｎｏは、各携帯電話端末５のＳＩＭカードに記録されている情報が用いられ、各携帯電話端末５を一意に特定可能にされる。
【００６７】
また、登録端末名は、当該電話システムにおいて便宜的に各携帯電話端末５を識別するために付した情報である。なお、登録端末名は、携帯電話端末５のユーザ名等であってもよい。また、電話番号は、各携帯電話端末５に割り当てられた電話番号であり、キャリアは当該携帯電話端末を携帯電話網に接続して通信を行えるようにするサービスを提供する携帯電話会社の名称である。
【００６８】
これらの端末識別情報は、例えば、この実施の形態の電話システムの管理者によって、当該電話システムを利用することができるユーザの携帯電話端末５の情報が登録するようにされる。そして、図５に示した例の場合には、当該ドック装置４には、端末Ａ〜端末Ｊまでの異なる１０台の携帯電話端末５が接続可能なものとして登録されている場合を示している。また、図５に示した例の場合には、端末Ａ〜端末Ｊの内、端末Ａが、現在、当該ドック装置４に接続されていることを示している。
【００６９】
そして、端末登録離脱処理部４２２は、ドック装置４と携帯電話端末５とからなる電話端末をＳＩＰサーバ１に対して配下の電話端末として登録する処理を行う。また、端末登録離脱処理部４２２は、ＳＩＰサーバ１の配下の電話端末として登録したドック装置４と携帯電話端末５とからなる電話端末をＳＩＰサーバ１の配下から離脱させるようにする処理を行う。
【００７０】
例えば、外部端子４１１に携帯電話端末５が接続されたことを、外部Ｉ／Ｆ４１２を通じて制御部４３０が検知し、当該携帯電話端末５から提供される端末識別情報と同じ端末識別情報が接続端末登録メモリ４２１に登録されていると判別したとする。この場合に、制御部４３０が、端末登録離脱処理部４２２を制御して、当該ドック装置４とこれに接続される携帯電話端末５とにより構成される端末が、ＳＩＰサーバ１の配下の電話端末となるようにするための登録処理を行う。
【００７１】
具体的には、端末登録離脱処理部４２２は、制御部４３０の制御に応じて、ＳＩＰサーバ１への登録要求を形成し、これを制御部４３０、ＬＡＮＩ／Ｆ４０２、ＬＡＮ接続端子４０１を通じて、ＳＩＰサーバ１に送信するようにする。ここで、登録要求は、当該要求が登録要求であることを示す情報と、図３を用いて説明したように、内線登録データ（内線番号、ＩＰアドレス、ポート番号）を含むものである。ＳＩＰサーバ１では、ドック装置４からの登録要求に基づいて、要求元の電話端末についての内線番号、ＩＰアドレス、ポート番号がアドレス管理ＤＢ１０６に登録される。これにより、当該ドック装置４と、これに接続された携帯電話端末５とによって構成される電話端末が、ＳＩＰサーバ１の配下の電話端末となる。
【００７２】
また、端末登録離脱処理部４２２は、外部端子４１１に接続された携帯電話端末５が、当該外部端子４４１から離脱したことを外部Ｉ／Ｆ４１２を通じて制御部４３０が検知した場合に、離脱処理を行う。この場合、端末登録離脱処理部４２２は、制御部４３０の制御に応じて、ＳＩＰサーバ１への離脱要求を形成し、これを制御部４３０、ＬＡＮＩ／Ｆ４０２、ＬＡＮ接続端子４０１を通じて、ＳＩＰサーバ１に送信するようにする。ここで離脱要求は、当該要求が離脱要求であることを示す情報と、例えば、内線登録データを含むものである。ＳＩＰサーバ１では、ドック装置４からの離脱要求に基づいて、要求元の電話端末についての内線登録データをアドレス管理ＤＢ１０６から削除する。これにより、当該ドック装置４と携帯電話端末５とからなる電話端末が、ＳＩＰサーバ１の配下から離脱するようにされる。
【００７３】
メッセージ処理部４２３は、主にＳＩＰサーバ１との間において送受されるメッセージ（要求、指示、通知、応答等）を処理する。具体的に、メッセージ処理部４２３は、ＳＩＰサーバ１に供給するメッセージを形成して、これを制御部４３０、ＬＡＮＩ／Ｆ４０２、ＬＡＮ接続端子４０１を通じてＬＡＮに送出し、ＳＩＰサーバ１に供給する。また、メッセージ処理部４２３は、ＬＡＮ接続されたＳＩＰサーバ１からのメッセージを受け付け、これを制御部４３０で利用できるようにする。
【００７４】
表示制御メッセージ提供部４２４は、外部端子４１１及び外部Ｉ／Ｆ４１２を通じて接続された携帯電話端末５に対して供給する表示用の制御メッセージを制御部４３０の制御に応じて形成し、これを当該携帯電話端末５に提供する。ここで形成される表示用の制御メッセージは、自機への着信時における発信元の電話番号、操作入力部４０８を通じて入力した相手先の電話番号、通話時間等、通話に関する種々の表示情報の表示や消去を指示するためのものである。
【００７５】
このように、この実施の形態のドック装置４は、携帯電話端末５が接続されることにより、当該携帯電話端末５と共に、ＳＩＰサーバ１の配下の電話端末となり、ＳＩＰサーバ１を通じて、ＩＰ網６や電話網７に接続された電話端末との間で通話を行うことができるようにしている。そして、ドック装置４に対して接続される携帯電話端末５は、ドック装置４と共に構成する電話端末の表示デバイスとして用いるようにすることができる。したがって、携帯通信端末５を単に携帯電話端末として用いるだけでなく、会社内などに形成される電話システムに接続して利用することもできるようにされる。また、ドック装置４に対して携帯電話端末５が接続されている場合においては、ドック装置４を通じて携帯電話端末５に対して充電を行うこともできるので、特別に充電時間を設けることもなく、外出に備えることができる。
【００７６】
なお、図４において、二重線で示した端末登録離脱処理部４２２と、メッセージ処理部４２３と、表示制御メッセージ提供部４２４とは、それぞれ独立した回路部分として示しているが、制御部４３０において実行されるプログラムにより、制御部４３０の機能として実現することももちろん可能である。
【００７７】
［携帯電話端末５の構成例］
次に、この実施の形態の電話システムで用いられる携帯電話端末５の構成について説明する。図６は、この実施の形態の電話システムの携帯電話端末５の構成例を説明するためのブロック図である。
【００７８】
図６に示すように、この実施の形態の携帯電話端末５は、無線通信処理系として、送受信アンテナ５０１、電話通信部５０２、送受信信号処理部５０３、通話音声処理部５０４を備えている。通話音声処理部５０４には、受話アンプ５０５を通じて受話器（スピーカ）５０６が接続され、また、送話器（マイクロホン）５０７が、送話アンプ５０８を通じて接続されている。また、携帯電話端末５は、上述のドック装置４と協働して電話端末として機能するための部分として、メッセージ処理部５１１、端末情報提供部５１２を備えている。また、携帯電話端末５は、多数の電話帳データが記録される電話帳ＤＢ５１４を備えている。
【００７９】
また、携帯電話端末５は、ユーザインターフェースを構成する部分として、操作入力部５２１、操作入力Ｉ／Ｆ５２２、ディスプレイコントローラ５２３、ディスプレイ５２４、リンガ５２５を備えている。ディスプレイ５２４は、この例では、ＬＣＤ（Liquid Crystal Display）である。この他、有機ＥＬディスプレイ（organic electroluminescence display）などのいわゆる薄型の表示素子を用いることもできる。なお、図示しないが、携帯電話端末５には、着信などを通知するためのバイブレータなども設けられている。さらに、携帯電話端末５は、外部端子５３１、外部Ｉ／Ｆ５３２、充電回路５３３、バッテリ５３４を備えると共に、携帯電話端末５の各部を制御する制御部５４０を備えている。
【００８０】
制御部５４０は、ＣＰＵ５４１、ＲＯＭ５４２、ＲＡＭ５４３、ＥＥＰＲＯＭ５４４が、ＣＰＵバス５４５を通じて接続されて形成されたマイクロコンピュータである。ＣＰＵ５４１は、ＲＯＭ５４２に記憶されているプログラムを読み出して実行し、各部に供給する制御信号を形成して、これを各部に供給したり、各部から送信されてくるデータを受け付けて、これに応じた処理を実行したりする。ＲＯＭ５４２は、ＣＰＵ５４１において実行されるプログラムや処理に必要になる種々のデータが予め記録されたものである。
【００８１】
また、ＲＡＭ５４３は、処理の途中結果を一時記憶するなど、主に作業領域として用いられるものである。また、ＥＥＰＲＯＭ５４４は、いわゆる不揮発性メモリであり、携帯電話端末５の電源を落としても保持しておくべきデータ等が記憶保持される。ＥＥＰＲＯＭ５４４には、例えば、種々の設定パラメータ、アプリケーションプログラムや機能アップのための追加プログラムなどが記憶保持される。また、ＥＥＰＲＯＭ５４４には、上述もした端末識別情報として、電話番号やキャリア名（携帯電話会社名）などの情報も記憶されている。なお、ＳＩＭ．Ｎｏは、図５には図示しないが、この携帯電話端末５のＳＩＭカードスロットに装着されているＳＩＭカードに記憶保持され、制御部５４０を通じて参照することができるようにされている。
【００８２】
そして、送受信アンテナ５０１は、携帯電話網との間でデータを送受する端部である。電話通信部５０２は、携帯電話網の基地局を通じて相手と通信をするためのものである。送受信信号処理部５０３は、制御部５４０の制御の下、電話通信部５０２を通じて受信した通信情報を解析して、呼制御メッセージや通話信号をデコードし、制御部５４０に供給すると共に、電話通信部５０２を通じて送信する送信信号を生成する。
【００８３】
通話音声処理部５０４は、制御部５４０の制御の下、送受信信号処理部５０３からの受話音声情報を、デジタル信号からアナログ信号に変換し、受話アンプ５０５に供給する。受話アンプ５０５に供給された受話音声信号は、ここで増幅された後に受話器５０６に供給されて音響再生される。通話音声処理部５０４は、また、送話器５０７で収音され、送話アンプ５０８で増幅された送話音声信号を、アナログ信号からデジタル信号に変換して、制御部５４０の制御の下、送受信信号処理部５０３に供給する。そして、上述したように、送受信信号処理部５０３は、通話音声処理部５０４からのデジタル化された送話音声信号から送信する送信信号を生成し、これを電話通信部５０２に供給して送信するようにする。
【００８４】
操作入力部５２１は、数字キー、オフフックキー、オンフックキー、その他の各種のファンクションキー等が設けられ、ユーザからの操作入力を受け付ける部分である。操作入力部５２１を通じて受け付けられたユーザからの操作入力は、操作入力Ｉ／Ｆ５２２において電気信号に変換されて、制御部５４０に通知される。これにより、制御部５４０が操作入力Ｉ／Ｆ５２２からの信号に応じて各部を制御し、ユーザの指示に応じた処理を行うことができるようにされる。
【００８５】
ディスプレイコントローラ５２３は、制御部５４０の制御に応じてディスプレイ５２４に情報を表示するための表示用信号を形成し、これをディスプレイ５２４に供給する。これによりディスプレイ５２４には、種々の情報が表示される。例えば、着信時においては、発信元の電話番号や名前、発信時においては、電話帳ＤＢ５１４に登録されている電話帳データ等が表示される。
【００８６】
この他、待ち受け時においては、所定の待ち受け画面をディスプレイ５２４に表示したり、各種のエラーメッセージやガイダンスメッセージなども表示したりすることもできるようにされる。なお、電話帳ＤＢ５１４は、よく電話を掛けたり、よく電話が掛かってきたりする相手先の電話番号、名前、住所、電子メールアドレス等の情報を多数、記憶保持することができるものである。
【００８７】
外部端子５３１は、外部機器であるドック装置４との接続端部を構成するものであり、データ端子と充電端子とを有するものである。このため、図６に示したように、外部端子５３１には、外部Ｉ／Ｆ５３２と、充電回路５３３とが接続されている。
【００８８】
外部Ｉ／Ｆ５３２は、外部端子５３１を通じて接続されたドック装置４との間でデータを送受するためのものである。外部端子５３１にドック装置４が接続されると、外部Ｉ／Ｆ５３２は、当該ドック装置４との間で接続時の信号のやり取りをすることにより、ドック装置４に接続されたことを検知し、制御部５４０に通知する。これにより、制御部５４０は、外部端子５３１を通じて自機がドック装置４に接続されたことを認識することができる。
【００８９】
また、外部Ｉ／Ｆ５３２は、外部端子５３１を通じて供給されるドック装置４からのデータを受け付けて、これを自機において処理可能な形式のデータに変換して制御部５４０に供給する。また、外部Ｉ／Ｆ５３２は、外部端子５３１に接続されたドック装置４に供給する制御部５４０からのデータを出力用の所定の形式のデータに変換して、これを外部端子５３１を通じて出力する。
【００９０】
充電回路５３３は、外部端子５３１の充電端子を通じてドック装置４から送られてくる充電電流からバッテリ５３４に供給する電流を生成する。そして、充電回路５３３は、外部Ｉ／Ｆ５３２からのドック装置４に接続されたことの検知通知に基づく制御部５４０の制御により駆動状態に制御されて、充電用に生成した電流をバッテリ５３４に供給する。これにより携帯電話端末５のバッテリ５３４の充電が行われる。
【００９１】
なお、この実施の形態において、携帯電話端末５の外部端子５３１、外部Ｉ／Ｆ５３２、充電回路５３３からなる部分は、ＵＳＢ（Universal Serial Bus）規格に準拠したものである。すなわち、この実施の形態において、携帯電話端末５の外部端子５３１はＵＳＢ端子である。そして、この実施の形態の携帯電話端末５は、外部端子５３１を通じてドック装置４に接続された場合には、メッセージ処理部５１１、端末情報提供部５１２を機能させ、ドック装置４と協働してＳＩＰサーバ１の配下の電話端末となることができるようにされる。
【００９２】
ここで、メッセージ処理部５１１は、制御部５４０の制御の下、外部端子５３１を通じてドック装置４に対して接続された場合に、ドック装置４との間で送受されるメッセージ（要求、指示、通知、応答等）を処理する。具体的に、メッセージ処理部５１１は、外部端子５３１を通じて接続されたドック装置４からのメッセージ情報を受け付け、これを制御部５４０において利用できるようにして制御部５４０に供給する。これにより、制御部５４０は、ドック装置４からのメッセージに対応した処理を行うことができるようにされる。
【００９３】
したがって、このメッセージ処理部５１１の機能により、ドック装置４からの表示制御メッセージを受信したときには、これに応じて、ディスプレイ５２４に種々の情報を表示することができるようにされる。すなわち、当該携帯電話端末５をドック装置４と共に形成する電話端末の表示デバイスとして用いることができるようにされる。
【００９４】
また、メッセージ処理部５１１は、自機からドック装置４に対して提供するメッセージを形成し、これを制御部５４０、外部Ｉ／Ｆ５３２、外部端子５３１を通じて、ドック装置４に供給する。ここで、自機からドック装置４に提供するメッセージとしては、例えば、ドック装置４から提供されたメッセージに対応して提供する必要が生じたメッセージなどである。このように、メッセージ処理部５１１の機能によって、携帯電話端末５とドック装置４とが協働することができるようにされる。
【００９５】
また、端末情報提供部５１２は、外部端子５３１を通じてドック装置４に対して接続され、当該ドック装置４から端末識別情報の提供要求が来た場合に、制御部５４０の制御により、自機の端末識別情報を取得して、これをドック装置４に提供するようにする。具体的に、端末情報提供部５１２は、端末識別情報の提供要求に応じて、自機に搭載されたＳＩＭカードやＥＥＰＲＯＭ５４４から、ＳＩＭ．Ｎｏ、電話番号、キャリア名（携帯電話会社名）などを取得する。そして、端末情報提供部５１２は、取得した端末識別情報を含む応答を形成し、これを制御部５４０、外部Ｉ／Ｆ５３２、外部端子５３１を通じてドック装置４に提供する。
【００９６】
そして、上述もしたが、ドック装置４は、予め接続端末登録メモリ４２１に予め登録された端末識別情報を有する携帯電話端末５の接続だけを許可する。このため、端末情報提供部５１２の機能により、自機の端末識別情報をドック装置４に提供し、ドック装置４側で認証を取ることができるようにされる。
【００９７】
そして、携帯電話端末５は、ドック装置４において接続が許可されると、当該ドック装置４と協働して、ＳＩＰサーバ１の配下の電話端末となるが、携帯電話端末としての機能は停止させるようにする。ドック装置４に接続されている場合には、ドック装置４と共に構成する電話端末の表示デバイスとしてのみ動作するようにするためである。このため、携帯電話端末５の制御部５４０は、ドック装置４に対して接続が許可されると、電話通信部５０２、送受信信号処理部５０３、通話音声処理部５０４を有する無線通信処理系の機能を停止させると共に、メッセージ制御部５１１を機能させる。
【００９８】
これにより、携帯電話端末としての機能を停止させ、ＳＩＰサーバ１の配下の電話端末の表示デバイスとして機能することができるようにされる。ここで、携帯電話端末としての機能とは、携帯電話網を通じて通信を行う機能を意味する。換言すれば、携帯電話端末としての機能とは、携帯端末としての携帯電話端末５が、単独で実現することができる機能を意味する。
【００９９】
また、携帯電話端末５の制御部５４０は、外部端子５３１を通じて接続されていたドック装置４から切り離されると、上述した無線通信処理系を機能させると共に、メッセージ処理部５１１の機能を停止させて、単体で携帯電話端末として機能するようにされる。このように、携帯電話端末５の制御部５４０は、機能停止制御部及び機能動作制御部としての機能をも実現している。
【０１００】
なお、図６において、二重線で示したメッセージ処理部５１１と、端末情報提供部５１２とは、それぞれ独立した回路部分として示しているが、これに限るものではない。メッセージ処理部５１１、端末情報提供部５１２のそれぞれは、制御部５４０において実行されるプログラムにより、制御部５４０の機能として実現することももちろん可能である。
【０１０１】
［電話システムの処理］
次に、この実施の形態の電話システムで行われる処理について、図７〜図１１を参照しながら説明する。以下においては、ドック装置４と携帯電話端末５とからなる電話端末を通じて、（１）着信に応答して通話を行う場合、（２）発信して通話を行う場合、さらに、（３）ドック装置４に接続されている携帯電話端末５を切断する（切り離す）場合のそれぞれにおける処理ついて説明する。
【０１０２】
［（１）着信に応答して通話を行う場合］
まず、この実施の形態の電話システムにおいて、ドック装置４と携帯電話端末５とからなる電話端末を用いて掛かってきた電話に応答して通話する場合の処理について説明する。図７、図８は、この実施の形態の電話システムにおいて、ドック装置４と携帯電話端末５とからなる電話端末を通じて、着信に応答して通話を行う場合の処理について説明するためのシーケンス図である。
【０１０３】
図７の右上端側に示すように、携帯電話端末５のユーザが、例えば、外出先から帰社し、当該携帯電話端末５の外部端子５３１と、社内に設置されているドック装置４の外部端子４１１とを図１に示したように接続したとする（ステップＳ１）。この双方の機器の外部端子同士の接続は、図１に示したように、携帯電話端末５をドック装置４の端末載置部４１０に載置することにより行うことができるようにされる。
【０１０４】
この場合、ドック装置４の制御部４３０は、外部端子４１１及び外部Ｉ／Ｆ４１２を通じた携帯電話端末５との接続時の通信処理により、自機に外部機器が接続されたことを認識することができる。そこで、ドック装置４の制御部４３０は、外部機器の接続を検知すると、メッセージ処理部４２３を制御して、端末識別情報の提供要求（端末情報要求）を形成し、これを制御部４３０、外部Ｉ／Ｆ４１２、外部端子４１１を通じて携帯電話端末５に提供する（ステップＳ２）。
【０１０５】
一方、携帯電話端末５の制御部５４０もまた、外部端子５３１及び外部Ｉ／Ｆ５３２を通じたドック装置４との接続時の通信処理により、自機が外部機器に接続されたことを認識することができる。この場合、携帯電話端末５の制御部５４０は、メッセージ処理部５１１を機能させ、外部機器からのメッセージを処理できるようにする。そして、携帯電話端末５の制御部５４０は、ドック装置４からの端末情報要求を受信すると、メッセージ処理部５１１を制御して端末識別情報を含む端末情報応答を形成し、これを制御部５４０、外部Ｉ／Ｆ５３２、外部端子５３１を通じてドック装置４に提供する（ステップＳ３）。
【０１０６】
このように、ドック装置４と携帯電話端末５との間では、ドック装置４側の制御部４３０、外部Ｉ／Ｆ４１２、外部端子４１１と、携帯電話端末５側の制御部５４０、外部Ｉ／Ｆ５３２、外部端子５３１を通じて、情報（信号）の送受が行われる。
【０１０７】
そして、ドック装置４の制御部４３０は、携帯電話端末５からの端末識別情報を含む端末情報応答を受信すると、当該携帯電話端末５が接続可能か否かを判別し、接続可能である場合には、表示アプリ起動要求を形成して、これを携帯電話端末５に供給する（ステップＳ４）。このステップＳ４においては、制御部４３０が、携帯電話端末５からの端末識別情報に基づいて、接続端末登録メモリ４２１の登録情報を参照し、自機に接続された携帯電話端末５が接続可能なものか否かを判別する。ここで、接続端末登録メモリ４２１の登録情報（登録端末）と携帯電話端末５からの端末情報（端末識別情報）が一致したとする。この場合には、ドック装置４の制御部４３０は、メッセージ処理部４２３を制御して、表示アプリケーションプログラムの起動要求（表示アプリ起動要求）を形成し、これを携帯電話端末５に提供する。
【０１０８】
表示アプリ起動要求を受信した携帯電話端末５では、制御部５４０が表示アプリケーションプログラムを起動する（ステップＳ５）。これにより、制御部５４０は、無線通信処理系の機能を停止させて携帯電話端末としては機能しないようにし、メッセージ処理部５１１等の必要部分のみを機能させるようにする。
【０１０９】
そして、ドック装置４においては、制御部４３０の制御に応じた端末登録離脱処理部４２２が、接続端末登録メモリ４２１に形成されている接続端末登録テーブルの該当する端末識別情報の接続状況欄に、接続中を示す情報を更新する（ステップＳ６）。
【０１１０】
なお、ステップＳ４の処理において、ドック装置４の端末登録削除処理部４２２が、外部端子４１１を通じて接続された携帯電話端末５が、自機に接続可能なものではないと判別したとする。この場合、ドック装置４は、制御部４３０がメッセージ処理部４２３を制御し、接続不可メッセージを形成して、これを当該携帯電話端末５に提供する。この場合、携帯電話端末５においては、当該接続不可メッセージに応じて、ドック装置４に接続できないことを示す表示メッセージをディスプレイ５２４に表示するなどして、当該携帯電話端末５はドック装置４に接続できないものであることをユーザに通知することになる。
【０１１１】
そして、ステップＳ６の処理の後、ドック装置４の制御部４３０は、メッセージ処理部４２３を制御し、ＥＥＰＲＯＭ４３４に登録されている内線登録データを含むＳＩＰサーバ１宛ての登録要求を形成し、これをＳＩＰサーバ１に送信する（ステップＳ７）。当該登録要求は、制御部４３０、ＬＡＮＩ／Ｆ４０２、ＬＡＮ接続端子４０１を通じてＬＡＮに送出され、ＬＡＮを通じてＳＩＰサーバ１に送信される。この後、ＳＩＰサーバ１において、内線登録データをアドレス管理ＤＢ１０６に登録されると、当該ドック装置４宛ての登録応答が形成され、これがＬＡＮを通じて送信されてくる。
【０１１２】
ドック装置４がＳＩＰサーバ１からの登録応答をＬＡＮ接続端子及びＬＡＮＩ／Ｆ４０２を通じて受信すると、制御部４３０がメッセージ処理部４２３を制御して、内線電話状態表示要求を形成し、これを携帯電話端末５に提供する（ステップＳ８）。当該内線電話状態表示要求は、外部端子を通じて接続されたドック装置４と携帯電話端末５とが、ＳＩＰサーバ１の配下の電話端末となったことを示す情報を表示することを要求するものである。
【０１１３】
これに応じて、携帯電話端末５の制御部５４０は、ディスプレイコントローラ５２３を制御し、ディスプレイ５２４の所定の位置にＳＩＰサーバ１の配下の電話端末となったこと、すなわち内線電話となったことを示す表示情報を表示する（ステップＳ９）。このステップＳ９においては、例えば、基地局からの電波の受信状況を示す表示やバッテリの残量表示などに替えて、「内線電話」や「内線２０１０」などといった内線電話となったことを示す表示がディスプレイ５２４の表示画面の所定の位置に表示される。このように、図７に示したステップＳ１〜ステップＳ９の処理により、ドック装置４とこれに接続された携帯電話端末５とからなる端末が、ＳＩＰサーバ１の配下の電話端末となるようにされる。
【０１１４】
この後、図８に示す処理に進み、当該電話システムに対して着信があり、ＳＩＰサーバ１がＬＡＮを通じて配下の電話端末に対して、着信通知（着信メッセージ）を送出したとする。ＳＩＰサーバ１からの着信通知を受信したドック装置４の制御部４３０は、いわゆる待ち受け状態から自機に着信がある状態となるように、電話内部状態を更新する（ステップＳ１１）。ここで待ち受け状態は、着信を受け付けたり発信操作を受け付けたりすることが可能な状態を意味し、着信がある状態とは、自機に着信があり、呼び出しを行うようにする状態を意味する。この後、ドック装置４の制御部４３０は、リンガ４０７を制御して着信音を放音させる。さらに制御部４３０は、メッセージ処理部４２３を制御して、発信元の電話番号を含み、着信が発生していることを通知するための内線電話状態表示要求を形成し、これを自機に接続されている携帯電話端末５に提供する（ステップＳ１２）。
【０１１５】
ドック装置４からの内線電話状態表示要求を受信した携帯電話端末５では、メッセージ処理部５１１により処理されたメッセージに応じて制御部５４０が各部を制御し、自機に着信があることをユーザに通知する処理（内線電話状態表示更新）を行う（ステップＳ１３）。ステップＳ１３においては、携帯電話端末５の制御部５４０が、内線電話状態表示要求に含まれる発信元の電話番号を、ディスプレイコントローラ５２３を通じてディスプレイ５２４に表示する処理を行う。
【０１１６】
上述したように、ドック装置４のリンガ４０７による着信音の放音と、携帯電話端末５におけるステップＳ１３の内線電話状態表示更新により、着信があることをユーザに通知した後、ユーザが、ドック装置４に対して応答操作（オフフック操作）を行ったとする。この場合、ドック装置４の制御部４３０は、ユーザからの応答操作通知を受信すると、自機に着信がある状態から当該着信に対して応答するようにした状態となるように、電話内部状態を更新する（ステップＳ１４）。
【０１１７】
ここで着信に対して応答するようにした状態とは、発信元に対して着信応答を返信して通信路を接続する処理を開始した状態を意味する。この後、ドック装置４の制御部４３０は、メッセージ処理部４２３を制御して、発信元の電話番号を含み、発信元との間に通信路を接続して通話を行うようにしたことを通知するための内線電話状態表示要求を形成し、これを自機に接続されている携帯電話端末５に提供する（ステップＳ１５）。
【０１１８】
ドック装置４からの内線電話状態表示要求を受信した携帯電話端末５では、制御部５４０がディスプレイコントローラ５２３を制御し、着信に対する応答操作が行われ、通話状態に遷移したことをユーザに通知する処理（内線電話状態表示更新）を行う（ステップＳ１６）。ステップＳ１６においては、携帯電話端末５の制御部５４０が、内線電話状態表示要求に含まれる発信元の電話番号をディスプレイコントローラ５２３を通じてディスプレイ５２４に表示すると共に、通話時間を計数して表示する処理を開始する。
【０１１９】
そして、ドック装置４の制御部４３０は、メッセージ処理部４２３を制御して、ＩＰサーバ１宛ての着信応答通知を形成し、これを制御部４３０、ＬＡＮＩ／Ｆ４０２、ＬＡＮ接続端子４０１を通じてＬＡＮに送出する（ステップＳ１７）。これにより、ＳＩＰサーバ１に対して、着信応答通知が送信される。そして、着信応答通知を受信したＳＩＰサーバ１は、発信元の端末装置と、応答してきた配下のドック装置４との間に通信路を接続する。これにより、発信元の端末装置とドック装置４との間に通信路が接続され、ドック装置４のユーザはドック装置４に接続されたハンドセット４０６を通じて通話（電話通信）を行うことができるようにされる。この場合、ドック装置４では通話音声入出力Ｉ／Ｆ４０４が機能するようにされる。
【０１２０】
このように、ドック装置４に対して携帯電話端末５が接続されると、これらドック装置４と携帯電話端末５とからなる端末が、ＳＩＰサーバ１の配下の電話端末となる。そして、ＳＩＰサーバ１を含む電話システムに対して掛かってきた電話に対して、ドック装置４と携帯電話端末５とからなる電話端末を用いて応答し、通話を行うことができるようにされる。
【０１２１】
なお、図８の最下段に示すように、ＳＩＰサーバ１とドック装置４とはＬＡＮケーブルにより有線接続され、また、ドック装置４と携帯電話端末５とも直接に有線接続される。したがって、無線接続される部分はないので、障害物やノイズなどの影響を受けることなく、ドック装置４と携帯電話端末５とからなる端末を、制御データ等の送受に支障をきたすことなく、信頼性の高い電話端末を構成することができる。また、通話が完了するなどして、発信元または携帯電話端末５のユーザが、オンフックするようにすると、接続された通信路は解放され、ドック装置４と携帯電話端末５とからなる電話端末は、いわゆる待ち受け状態となるようにされる。
【０１２２】
［（２）発信して通話を行う場合］
次に、ドック装置４と携帯電話端末５とからなる電話端末を用いて、目的とする相手先に電話を掛けて（発信して）通話を行う場合のこの実施の形態の電話システムの処理について説明する。図９、図１０は、この実施の形態の電話システムにおいて、ドック装置４と携帯電話端末５とからなる電話端末を通じて発信して通話を行う場合の処理について説明するためのシーケンス図である。
【０１２３】
ここでは、図７を用いて説明したステップＳ１〜ステップＳ９までの処理が既になされ、ドック装置４と携帯電話端末５とからなる電話端末が、ＳＩＰサーバ１の配下の電話端末となっているものとする。このため、図９の右上端部に示すように、携帯電話端末５は、ディスプレイ５２４の所定の位置にＳＩＰサーバ１の配下の電話端末となったこと、すなわち内線電話となったことを示す表示情報が表示された状態にあるとする（ステップＳ９）。
【０１２４】
そして、ユーザがドック装置４のハンドセット４０６をドック装置４から取り上げたり、ドック装置４の操作入力部４０８のオフフックキーを押下操作したりするなどの所定のオフフック操作を行ったとする。この場合、ドック装置４の制御部４３０は、自機の状態をいわゆる待ち受け状態からユーザからオフフック状態に遷移させる（ステップＳ２１）。そして、ドック装置４は、制御部４３０がメッセージ処理部４２３を制御して、内線電話状態表示指示を形成し、これを携帯電話端末５に提供する（ステップＳ２２）。当該内線電話状態表示指示は、ドック装置４と携帯電話端末５からなる電話端末が、オフフック状態になったことを示す情報の表示を指示するものである。
【０１２５】
そして、携帯電話端末５が、ステップＳ２２において送信するようにされたドック装置４からの内線電話状態表示指示を受信したとする。この場合、携帯電話端末５においては、メッセージ処理部５１１及び制御部５４０が機能し、ディスプレイコントローラ５２３を制御して、ディスプレイ５２４の表示をオフフック状態の表示に遷移させる処理（内線電話状態表示更新）を行う（ステップＳ２３）。このステップＳ２３においては、例えば、ディスプレイ５２４に表示された現在年月日と現在時刻の表示を消去して、ドック装置４と携帯電話端末５とからなる電話端末が、オフフック状態になったことを示す表示として、例えば、「オフフック」の文字や、電話機からハンドセット（送受話器）が外れた上体の絵柄などを表示させる。
【０１２６】
この後、ドック装置４の操作入力部４０８に対して、ユーザにより目的とする電話番号の入力が行われたとする。この場合、ドック装置４の制御部４３０は、自機の状態をオフフック状態から発信状態に遷移させる（ステップＳ２４）。そして、ドック装置４は、制御部４３０がメッセージ処理部４２３を制御して、内線電話状態表示指示を形成し、これを携帯電話端末５に提供する（ステップＳ２５）。当該内線電話状態表示指示は、操作入力部５２１を通じて入力された入力情報（相手先の電話番号）の表示を指示するものである。
【０１２７】
これに応じて、携帯電話端末５の制御部５４０は、ディスプレイコントローラ５２３を制御し、ディスプレイ５２４の所定の位置に入力情報（相手先の電話番号）を表示する処理（内線電話状態表示更新）を行う（ステップＳ２６）。これにより、携帯電話端末５のユーザは、携帯電話端末５のディスプレイ５２４に表示された入力情報（相手先の電話番号）を確認し、自分がドック装置４の操作入力部４０８を通じて入力した電話番号が正しいか否かを判別することができるようにされる。
【０１２８】
表示された相手先の電話番号が正しくない場合には、目的とする相手先の電話番号の例えば再入力を行うことができるようにされる。そして、ドック装置４は、制御部４３０がメッセージ処理部４２３を制御して、操作入力部４０８を通じて受け付けた相手先の電話番号を含むＳＩＰサーバ１宛ての発信要求を形成し、これをＬＡＮを通じてＳＩＰサーバ１に送信する（ステップＳ２７）。すなわち、ドック装置４で形成された発信要求は、制御部４３０、ＬＡＮＩ／Ｆ４０２、ＬＡＮ接続端子４０１を通じてＬＡＮに送出されて、ＳＩＰサーバ１に提供される。そして、ＳＩＰサーバ１では、発信要求に含まれる相手先の電話番号により相手先を特定し、当該相手先に対して発信を行うようにされる。
【０１２９】
この後、当該電話システムは、図１０に示す処理に進む。そして、ＳＩＰサーバ１からの発信に伴い、相手先の端末装置において呼び出し処理が開始されたとする。この場合、相手先の端末装置からは呼び出し中であることを示すメッセージが返信されてくる。この呼び出し中であることを示すメッセージが、当該発信が適正に成功したことを示す情報となる。このため、ドック装置４においては、発信を行う状態から相手先からの応答を待つ状態に遷移する（ステップＳ３１）。このステップＳ３１においては、ドック装置４において、ハンドセット４０６の受話器を通じて、ＲＢＴ（Ring Back Tone）を放音する処理も行われる。そして、ドック装置４は、制御部４３０がメッセージ処理部４２３を制御して、内線電話状態表示指示を形成し、これを携帯電話端末５に提供する（ステップＳ３２）。当該内線電話状態表示指示は、目的とする相手先が呼び出し中になったことの通知を指示するものである。
【０１３０】
これに応じて、携帯電話端末５の制御部５４０は、着信先（電話を掛けた相手先）の電話番号をディスプレイ５２４に表示する処理（内線電話状態表示更新）を行う（ステップＳ３３）。すなわち、ステップＳ３３においては、制御部５４０が、ディスプレイコントローラ５２３を制御し、ディスプレイ５２４の所定の位置に着信先（電話を掛けた相手先）の電話番号を表示する。これにより、ユーザは、ＲＢＴの放音とディスプレイ５２４の表示情報とにより、目的とする相手先の端末装置が呼び出し中になったことを認識することができるようにされる。
【０１３１】
この後、目的とする相手先の端末装置に対して応答操作が行われ、当該相手先から着信応答がＳＩＰサーバ１に送信されてきたとする。当該着信応答は、ＳＩＰサーバ１を通じて発信元のドック装置４に提供される。この場合、当該ドック装置４においては、相手先からの応答を待つ状態から着信応答を受信し、通話路を接続して通話を行う状態に遷移する（ステップＳ３４）。このステップＳ３４においては、ドック装置４におけるＲＢＴの放音は停止するようにされる。そして、ドック装置４は、制御部４３０がメッセージ処理部４２３を制御して、内線電話状態表示指示を形成し、これを携帯電話端末５に提供する（ステップＳ３５）。当該内線電話状態表示指示は、目的とする相手先が応答してきたので、通話を行う状態に遷移することを指示するものである。
【０１３２】
これに応じて、携帯電話端末５ではメッセージ処理部５１１で処理されたメッセージに応じて制御部５４０が各部を制御し、通話を開始させるように状態になったことを示す表示を行う処理（内線電話状態表示更新）を行うようにする（ステップＳ３６）。具体的に、制御部５４０は、ディスプレイコントローラ５２３を制御して、着信先（電話を掛けた相手先）の電話番号をディスプレイ５２４に表示すると共に、通話時間の表示を開始する。
【０１３３】
そして、ドック装置４の通話音声入出力Ｉ／Ｆ及びハンドセット４０６を用いて目的とする相手先との間で、通話（電話通信）を行うようにする。このようにして、ドック装置４と携帯電話端末５とからなる電話端末から発信して、目的とする相手先との間に通信路を接続し、通話を行うことができるようにされる。この場合、携帯電話端末５のディスプレイ５２４の表示により、当該ドック装置４と当該携帯電話端末５とにより形成される電話端末が通話状態になったこと、及び、通話が開始されてからの時間（通話時間）を認識することができるようされる。
【０１３４】
［（３）ドック装置４に接続されている携帯電話端末５を切断する場合］
次に、ドック装置４に対して接続されている携帯電話端末５を切断（切り離す）場合のこの実施の形態の電話システムの処理について説明する。図１１は、この実施の形態の電話システムにおいて、ドック装置４と携帯電話端末５とからなる電話端末を通じて通話を行っている状態にあるときに、携帯電話端末５をドック装置４から切り離すようにした場合の処理について説明するためのシーケンス図である。
【０１３５】
図１１の上端部に示すように、ドック装置４と携帯電話端末５とからなる電話端末のドック装置４に設けられたハンドセット４０６を通じて、目的とする相手先との間で通話路を接続し、通話を行う状態になっているとする。この状態にあるときに、携帯電話端末５のユーザが、ドック装置４の端末載置部４１０から携帯電話端末５を取り外すことにより、ドック装置４と携帯電話端末５との接続を切断したとする（ステップＳ４１）。
【０１３６】
この場合、携帯電話端末５の制御部５４０は、外部端子５３１及び外部Ｉ／Ｆ５３２を通じたドック装置４との信号の送受ができなくなるので、自機がドック装置４から切断されたことを検知することができる。このように、制御部５４０は、自機がドック装置４から切断されたことを検知すると、図７のステップＳ５において起動させた表示アプリを終了させて、携帯電話端末として動作するようにする（ステップＳ４２）。具体的に、ステップＳ４２において、制御部５４０は、メッセージ処理部５１１の機能を停止させると共に、機能を停止させていた電話通信部５０２、送受信信号処理部５０３、通話音声処理部５０４の動作を再開させる。これにより、携帯電話端末５の無線通信処理系が動作し、携帯電話網を通じた通信を行うことができるようにされる。すなわち、携帯電話端末５は、ドック装置４から切り離され、通常の携帯電話端末として機能するようにされる。
【０１３７】
一方、ドック装置４の制御部４３０は、外部端子４１１及び外部Ｉ／Ｆ４１２を通じた携帯電話端末５との信号の送受ができなくなるので、自機から携帯電話端末５が切断されたことを検知することができる。このように、制御部４３０は、自機から携帯電話端末５が切断されたことを検知すると、接続端末登録メモリ４２１に登録されている登録テーブルの接続状況の欄を更新する（ステップＳ４３）。すなわち、ステップＳ４３の更新処理では、図５に示した接続端末登録テーブルの当該ドック装置４に接続されていた携帯電話端末５についての接続状況の欄を接続中を示す情報から未接続状態を示す情報に更新する。
【０１３８】
この後、ドック装置４の制御部４３０は、メッセージ処理部４２３を制御して、ＳＩＰサーバ１宛ての通話切断要求を形成し、これをＬＡＮを通じてＳＩＰサーバ１に対して送信する（ステップＳ４４）。これにより、ＳＩＰサーバ１を通じて通話の相手先にも通話路が切断されたことを通知するようにして、相手先との通話を終了させるようにする。さらに、ドック装置４の制御部４３０は、通話音声入出力Ｉ／Ｆ４０４の動作を停止させるなどして、自機を通話状態からいわゆる待ち受け状態に遷移させるようにする（ステップＳ４５）。
【０１３９】
そして、ドック装置４は、自機からＳＩＰサーバ１に送信した通話切断要求に対する通話切断応答がＳＩＰサーバ１から送信されてくるのを待つ。ドック装置４の制御部４３０は、当該通話切断応答を受信すると、端末登録離脱処理部４２２を制御して、自機の内線登録データを含む内線サーバ離脱要求を形成し、これをＬＡＮを通じてＳＩＰサーバ１に送信する（ステップＳ４６）。内線登録データは、図１に示したように、ドック装置４に割り当てられている内線番号やＩＰアドレス、さらにポート番号からなる情報である。
【０１４０】
この後、ドック装置４は、ＳＩＰサーバ１から離脱完了通知が送信されてくるのを待つ。そして、ドック装置４の制御部４３０は、ＳＩＰサーバ１からの離脱完了通知を受信すると、端末登録離脱処理部４２２、メッセージ処理部４２３を停止させて、自機をいわゆる待ち受け状態から携帯電話端末５の接続を待つ接続待機状態に遷移させる（ステップＳ４７）。これにより、ＳＩＰサーバ１においては、アドレス管理ＤＢ１０６から対応する内線登録データが削除され、当該ドック装置４はＳＩＰサーバ１の配下から離脱することになる。また、当該ドック装置４自体は、上述したように、携帯電話端末５の接続待機状態となり、携帯電話端末５の接続待ちとなる。
【０１４１】
なお、ここでは、図１１を用いて、ドック装置４と携帯電話端末５とからなる電話端末が、通話状態にあるときに、ドック装置４から携帯電話端末５を切断した場合の処理について説明した。しかし、携帯電話端末５のドック装置４からの切り離しは、いわゆる待ち受け状態にあるときに行われる場合が多い。そして、ドック装置４と携帯電話端末５とからなる電話端末がいわゆる待ち受け状態にあるときに、ドック装置４から携帯電話端末５を切り離すようにした場合にも、図１１に示した処理において、斜線で示したステップＳ４４及びステップＳ４５の処理がドック装置４において行われないことを除けば、図１１を用いて説明した処理と同様の処理が行われることになる。
【０１４２】
すなわち、図１１において、斜線で示した通話は行われていない待ち受け状態におけるドック装置４からの携帯電話端末５の切り離し時においては、携帯電話端末５では、上述した場合と同様に、ステップＳ４１とステップＳ４２の処理が行われる。また、ドック装置４では、通話切断に関するステップＳ４４、ステップＳ４５の処理は行う必要はないので、ステップＳ４３、ステップＳ４６、ステップＳ４７の処理が行われる。なお、ステップＳ４７においては、待ち受け状態から携帯電話端末５の接続待ち状態に状態が遷移するようにされることになる。
【０１４３】
［実施の形態の効果］
ドック装置４に対して接続された携帯電話端末５は、ドック装置４に対して接続されている間においては携帯電話端末として動作することはなく、ドック装置４と携帯電話端末５とで構成される電話端末の表示デバイス（表示インターフェース）としてのみ機能するようにされる。
【０１４４】
したがって、会社内にいるときには、携帯電話端末５をドック装置４に接続することにより、携帯電話端末５への着信を回避し、会社の電話システムを通じた通信のみを有効にして、携帯電話端末５を効率よく使用することができるようにされる。すなわち、携帯電話端末５は、外出先においては携帯電話端末として機能し、会社内に在席しているときには、ＳＩＰサーバ１の配下の電話端末の表示デバイスとして利用することができるようにされる。また、ＳＩＰサーバ１とドック装置４とは有線接続され、また、ドック装置４に有線接続されるハンドセット４０６を通じて通話を行うことができるので、通信の品質を高品位に保つことができるようにされる。
【０１４５】
［この発明の方法、プログラム］
なお、上述した実施の形態において、図７〜図１１のシーケンス図を用いて説明した電話システムの処理が、この発明による方法が適用されて実現されたものである。また、図７〜図１１のシーケンス図を用いて説明したドック装置４で実行すべき処理を実行するようにするプログラムを形成し、これをドック装置４の制御部４３０で実行するようにドック装置４に搭載することにより、この発明のドック装置を実現することができる。同様に、図７〜図１１のシーケンス図を用いて説明した携帯電話端末５で実行すべき処理を実行するプログラムを形成し、これを携帯電話端末５の制御部５４０で実行するように携帯電話端末５に搭載することにより、この発明の携帯電話端末を実現することができる。
【０１４６】
［実施の形態の装置や回路部と、請求項の装置や手段との対応］
また、上述した実施の形態からも明らかなように、ＳＩＰサーバ１が交換装置としての機能を実現し、ドック装置４がドック装置としての機能を実現し、携帯電話端末５が携帯端末としての機能を実現している。
【０１４７】
そして、ドック装置４のＬＡＮ接続端子４０１が第１の接続端部としての機能を実現し、外部端子４１１が第２の接続端部としての機能を実現している。また、ドック装置４に接続されたハンドセット４０６が、受話器及び送話器としての機能を実現し、通話音声入出力Ｉ／Ｆ４０４が、通話音声処理手段としての機能を実現し、操作入力部４０８が、操作入力手段としての機能を実現している。また、ドック装置４の端末登録離脱処理部４２２が端末登録処理手段、端末離脱処理手段としての機能を実現し、メッセージ処理部４２３がメッセージ処理手段、要求提供手段としての機能を実現している。ドック装置４の表示制御メッセージ提供部４２４が、表示制御メッセージ提供手段としての機能を実現している。また、ドック装置４の接続端末登録メモリ４２１が記憶手段としての機能を実現し、制御部４３０が判別手段としての機能を実現している。
【０１４８】
また、携帯電話端末５の外部端子５３１が外部装置用接続端部としての機能を実現し、ディスプレイ５２４が表示手段としての機能を実現し、主にメッセージ処理部５１１と制御部５４０とが協働して、表示制御手段としての機能を実現している。また、携帯電話端末５のＥＥＰＲＯＭ５４４が端末情報記憶手段としての機能を実現し、制御部５４０が機能停止制御手段、機能動作制御手段としての機能を実現している。また、携帯電話端末５の端末情報提供部５１２が端末情報提供手段としての機能を実現している。
【０１４９】
［その他］
また、上述した実施の形態においては、図７を用いて説明したように、携帯電話端末５は、ドック装置４からの表示アプリ起動要求が送信されてきた場合に、無線通信処理系の動作を停止させて、携帯電話端末としての機能を停止させるようにしたが、これに限るものではない。例えば、携帯電話端末５の制御部５４０が、ドック装置４に接続されたことを検出した段階で、携帯電話端末５の携帯電話端末としての機能を停止させるようにしてもよい。この場合、仮に当該携帯電話端末５がドック装置４に対して接続できないものである場合には、当該携帯電話端末５において、ドック装置４から切り離されたことを検知した場合に、図１１のステップＳ４１において説明したように、携帯電話端末としての機能を動作させるようにすればよい。
【０１５０】
また、携帯電話端末５が、ドック装置４に接続された場合にも、携帯電話端末としての機能は停止させずに、ドック装置４から自機に着信があることの通知が来た場合に、携帯電話端末としての機能を停止させ、ドック装置４の表示デバイスとして機能させるようにしてもよい。この場合、通話が完了し、通信路が解放された段階で、携帯電話端末５の携帯電話端末としての機能を復旧させるようにすればよい。
【０１５１】
また、上述した実施の形態においては、ＩＰ電話システムにこの発明を適用した場合を例にして説明したが、これに限るものではない。ＳＩＰサーバ１の代わりに主装置を用いて構成するボタン電話システムにもこの発明を適用することができる。
【０１５２】
また、上述した実施の形態においては、携帯電話端末５とドック装置４とはＵＳＢ規格のインターフェースにより接続したが、これに限るものではない。種々のデジタルインターフェースにより接続することが可能である。そして、ドック装置４と携帯電話端末５とが接続される場合には、近接して接続するようにされるので、例えば、ブルートゥース（Bluetooth）規格などの近距離無線通信インターフェースやＩｒＤＡ（Infrared Data Association）規格の赤外線による光無線データ通信インターフェースなどにより接続することも可能である。すなわち、有線、無線を問わず、種々のデジタルインターフェースによって、携帯電話端末５とドック装置４とを接続することができる。
【０１５３】
また、携帯電話端末５としては、従来の携帯電話端末の他、スマートホンなどと呼ばれる高機能携帯電話端末を用いることもできる。また、例えば、パッド型情報端末やタブレッド型情報端末などと呼ばれる携帯端末や電子ブックリーダーなどの携帯端末を、上述した実施の形態の携帯電話端末５の代わりとして利用することもできる。すなわち、この発明における携帯端末として、表示素子を備えた種々の携帯端末を用いることができる。
【０１５４】
また、携帯電話端末５の操作入力部５２１は、表示画面に表示される表示情報と当該表示画面に貼付されるタッチパネルとにより実現されるいわゆるソフトウェアキーボードの構成とされる場合もある。
【０１５５】
このように、種々の携帯端末を用いる場合であっても、当該携帯端末がドック装置４と共に構成する電話端末の表示デバイスとして用いられる場合には、当該携帯端末の本来の機能を停止させ、当該電話端末の表示素子としてのみ機能させるようにすればよい。なお、携帯端末の本来の機能は、例えば、携帯端末が電子ブックリーダーである場合には、電子ブックデータを表示させる機能であり、パット型情報端末である場合には、例えば、インターネットにアクセスして情報の送受を行ったり、自機内に保持しているデータを表示したりするなど、そのパッド型情報端末の元々の用途を実現するための本来の機能を意味する。換言すれば、携帯端末としての本来の機能とは、携帯端末が、単独で実現することができる機能を意味する。
【符号の説明】
【０１５６】
１…ＳＩＰサーバ、１０１…ＩＰ網への接続端子、１０２…ＩＰ網Ｉ／Ｆ、１０３…パケット分解／生成部、１０４…電話網Ｉ／Ｆ、１０５…電話網への接続端子、１０６…アドレス管理ＤＢ、１０７…ＬＡＮＩ／Ｆ、１０８…ＬＡＮへの接続端子、１１０…制御部、２Ａ、２Ｂ…ＬＡＮケーブル、３…ハブ装置、４…ドック装置、４０１…ＬＡＮ接続端子、４０２…ＬＡＮＩ／Ｆ、４０３…パケット処理部、４０４…通話音声入出力Ｉ／Ｆ、４０５…ハンドセット接続端子、４０６…ハンドセット、４０７…リンガ、４０８…操作入力部、４０９…操作入力Ｉ／Ｆ、４１１…外部端子、４１２…外部Ｉ／Ｆ、４１３…充電電流供給部、４１４…ＡＣコンセント、４２１…接続端末登録メモリ、４２２…端末登録離脱処理部、４２３…メッセージ処理部、４２４…表示制御メッセージ提供部、４３０…制御部、５…携帯電話端末、５０１…送受信アンテナ、５０２…電話通信部、５０３…送受信信号処理部、５０４…通話音声処理部、５０５…受話アンプ、５０６…受話器、５０７…送話器、５０８…送話アンプ、５１１…メッセージ処理部、５１２…端末情報提供部、５１４…電話帳ＤＢ、５２１…操作入力部、５２２…操作入力Ｉ／Ｆ、５２３…ディスプレイコントローラ、５２４…ディスプレイ、５２５…リンガ、５３１…外部端子、５３２…外部Ｉ／Ｆ、５３３…充電回路、５３４…バッテリ、５４０…制御部、６…ＩＰ網、７…電話網
【図１】
2012213099.tif 000003
【図２】
2012213099.tif 000004
【図３】
2012213099.tif 000005
【図４】
2012213099.tif 000006
【図５】
2012213099.tif 000007
【図６】
2012213099.tif 000008
【図７】
2012213099.tif 000009
【図８】
2012213099.tif 000010
【図９】
2012213099.tif 000011
【図１０】
2012213099.tif 000012
【図１１】
2012213099.tif 000013